(57)【要約】【課題】  ねじの締め付け後に、一般のユーザーが、通常の工具等でねじを緩めることをできないようにする緩め防止ねじを提供する。【解決手段】  螺子部１１の端部に形成する飾り頭部１２と、この飾り頭部１２と離間して工具との係合部１７を有して螺子部１１の締め付け時に工具を係合するねじ回し作用頭部１４と、このねじ回し作用頭部１４と飾り頭部１２とを一体化する連結部１３とを備え、連結部１３に所定以上の回転力が加わった際に連結部１３の破断等を行う。これにより、機器に取り付けられたねじ１０を緩めて機器の分解などをすることを防止して、ユーザーが、危険の懸念のある機器や装置に触れて事故などを引き起こさないようにできるので安全性に優れる。【選択図】  図１
2005188695.tif 000002
【特許請求の範囲】
【請求項１】
螺子部の端部に形成する飾り頭部と、この飾り頭部と離間して工具との係合部を有して前記螺子部の締め付け時に工具を係合するねじ回し作用頭部と、このねじ回し作用頭部と前記飾り頭部とを一体化する連結部とを備えており、ねじ締め後、前記連結部を破断または切断して飾り頭部を残して前記ねじ回し作用頭部を除去することを特徴とする緩め防止ねじ。
【請求項２】
前記連結部は、所定以上の回転力が加わった際に破断または切断可能であることを特徴とする請求項１記載の緩め防止ねじ。
【請求項３】
前記連結部の材質は、容易に破断または切断可能なプラスチック製であることを特徴とする請求項１又は２記載の緩め防止ねじ。
【請求項４】
螺子部の先端に螺子部を緩めたり締め付けたりする時に特殊工具を係合するねじ回し係合部を形成したことを特徴とする請求項１乃至３のうちいずれか１項記載の緩め防止ねじ。
【請求項５】
螺子部の端部に形成する飾り頭部と、この飾り頭部と離間して工具との係合部を有して前記螺子部の締め付け時に工具を係合するねじ回し作用頭部と、このねじ回し作用頭部と前記飾り頭部とを一体化する連結部とを備えており、ねじ締め後、前記連結部を破断または切断して飾り頭部を残して前記ねじ回し作用頭部を除去するように構成し、前記螺子部の先端に螺子部を緩める時に特殊工具を係合するねじ回し係合部を形成したことを特徴とする緩め防止ねじ。
【発明の詳細な説明】
【技術分野】
【０００１】
本発明は、一般のユーザーが、機器などに一旦締め込まれたねじを、容易に緩めることをできないようにするものであり、詳しくは、例えば、感電などの危険の懸念のある機器の筐体カバーなどの取付けをこのねじにより行われている際に、一般のユーザーが、ねじを緩めて機器の分解などを行い、不注意によりケガなどの不測の事態に遭うことを防止する緩め防止ねじに関する。
【背景技術】
【０００２】
従来から、電子機器などを使用する一般のユーザーが、電気機器を分解して感電等の事故を起こすことを防止するために、ドライバーなどの汎用工具等により、電気機器のカバーや事故の懸念のある各種装置などを分解することを出来ないようにすることが求められている。
【０００３】
そこで、このような問題に対処するために、電子機器などのカバーを固定しているねじを、機器のユーザーなどが緩めることができないようにするために、接着剤などの固定剤をねじの頭部などに塗布し、ねじの緩みやねじを緩めることを回避する方法が用いられている。しかし、固定剤を使用すること、及び、その作業工程においても固定剤を塗布する作業を必要とするので、その作業工程において手間と時間がかかってしまう。また、電気機器を修理する専門の修理者がメインテナンスなどのためにロックしたねじを緩める必要が生じた際には、ねじが固定剤により固定されていることによって、最初に固定剤を取り除かなければねじを取り外して修理などを行うことができず、しかも、仮に固定剤を除去しようとすると、固化した固定材を取り除く作業工程に非常に手間が掛かってしまい作業の効率化を図ることができなかった。
【０００４】
また、ボルトのネジ部に緩み止め剤や表面処理を施すことなどにより、ボルトの緩み止めや緩めることを防止するものが、特許文献１から３には開示されている。また、特許文献４においては、一旦締め込んだボルトを取り外せないようにしたものが開示されている。しかし、ボルト本体を小ねじを介して締め付けるので、ボルトを小ねじの強度以上の強いトルクで締め付けることができないことから、後になって締め込んだボルトが緩んでくる懸念を生じていた。
【０００５】
【特許文献１】特開平６−３４６９１２号公報
【特許文献２】特開平１０−１８４６３４号公報
【特許文献３】特開２００３−１８４８４９号公報
【特許文献４】実開平５−５０１４０号公報
【発明の開示】
【発明が解決しようとする課題】
【０００６】
本発明は、上記背景技術を鑑みてなされたものであり、ねじの締め付け後に、一般のユーザーが、通常の工具等でねじを緩めることをできないようにする事により、例えば、機器に取り付けられたねじを緩めて機器の分解などをすることを防止して、ユーザーが、危険の懸念のある機器や装置に触れて事故などを引き起こさないようにした安全性の優れた緩め防止ねじを提供することをその目的とする。
【課題を解決するための手段】
【０００７】
請求項１に係る緩め防止ねじは、螺子部の端部に形成する飾り頭部と、この飾り頭部と離間して工具との係合部を有して前記螺子部の締め付け時に工具を係合するねじ回し作用頭部と、このねじ回し作用頭部と前記飾り頭部とを一体化する連結部とを備えており、ねじ締め後、前記連結部を破断または切断して飾り頭部を残して前記ねじ回し作用頭部を除去することを特徴とする。
【０００８】
請求項１の構成によれば、連結部は、ねじ締め後に破断または切断され、工具を係合するねじ回し作用頭部が取り除かれるから、一般のユーザーなどにより、ねじを緩められることを防止することができる。
【０００９】
請求項２に係る緩め防止ねじは、請求項１記載の緩め防止ねじにおいて、前記連結部は、所定以上の回転力が加わった際に破断または切断可能であることを特徴とする。
【００１０】
請求項２の構成によれば、連結部に所定以上の回転力が加わった際に、連結部は破断または切断される。これにより、工具を係合するねじ回し作用頭部が取り除かれるから、一般のユーザーなどにより、ねじを緩められることを防止することができる。
【００１１】
請求項３に係る緩め防止ねじは、請求項１又は２記載の緩め防止ねじにおいて、前記連結部の材質は、容易に破断または切断可能なプラスチック製であることを特徴とする。
【００１２】
請求項３の構成によれば、破断または切断される連結部の材質が、プラスチックなどの軟質材料であるから、連結部をより一層容易に破断等することができる。
【００１３】
請求項4に係る緩め防止ねじは、請求項１乃至３のうちいずれか１項記載の緩め防止ねじにおいて、螺子部の先端に螺子部を緩めたり締め付けたりする時に特殊工具を係合するねじ回し係合部を形成したことを特徴とする。
【００１４】
請求項４の構成によれば、どうしてもねじを取り外す必要性が生じた際に、ねじ回し係合部に特殊工具を係合させ、締め込まれたねじを緩めて取り外すことができる。
【００１５】
螺子部の端部に形成する飾り頭部と、この飾り頭部と離間して工具との係合部を有して前記螺子部の締め付け時に工具を係合するねじ回し作用頭部と、このねじ回し作用頭部と前記飾り頭部とを一体化する連結部とを備えており、ねじ締め後、前記連結部を破断または切断して飾り頭部を残して前記ねじ回し作用頭部を除去するように構成し、前記螺子部の先端に螺子部を緩める時に特殊工具を係合するねじ回し係合部を形成したことを特徴とする緩め防止ねじ。
【００１６】
請求項５の構成によれば、連結部は、ねじ締め後に破断または切断され、工具を係合するねじ回し作用頭部が取り除かれるから、一般のユーザーなどにより、ねじを緩められることを防止することができる。また、どうしてもねじを取り外す必要性が生じた際には、ねじ回し係合部に特殊工具を係合させ、締め込まれたねじを緩めて取り外すことができる。
【発明の効果】
【００１７】
請求項１の緩め防止ねじの発明によれば、螺子部の端部に形成する飾り頭部と、この飾り頭部と離間して工具との係合部を有して前記螺子部の締め付け時に工具を係合するねじ回し作用頭部と、このねじ回し作用頭部と前記飾り頭部とを一体化する連結部とを備えており、ねじ締め後、前記連結部を破断または切断して飾り頭部を残して前記ねじ回し作用頭部を除去することを特徴とするので、連結部を破断等して工具を係合するねじ回し作用頭部を取り除くことにより、一般のユーザーなどが、ねじを緩めて危険の懸念のある機器などの分解を行うことを防止することが可能なので、安全性に優れる。
【００１８】
請求項２の緩め防止ねじの発明によれば、請求項１の緩め防止ねじにおいて、前記連結部は、所定以上の回転力が加わった際に破断または切断可能なので、連結部に所定以上の回転力が加わった際に、連結部は破断または切断され、工具を係合するねじ回し作用頭部が取り除かれるから、一般のユーザーなどにより、ねじを緩められることを防止することができる。
【００１９】
請求項３の緩め防止ねじの発明によれば、請求項１又は２の緩め防止ねじにおいて、前記連結部の材質は、容易に破断または切断可能なプラスチック製であるので、連結部をより一層容易に破断等することができる。
【００２０】
請求項4の緩め防止ねじの発明によれば、請求項１乃至３のうちいずれか１項記載の緩め防止ねじにおいて、螺子部の先端に螺子部を緩めたり締め付けたりする時に特殊工具を係合するねじ回し係合部を形成したので、特殊工具を持ち合わせていない一般のユーザーなどが、締め込んだねじを緩めることを防止することができる。
【００２１】
請求項５の緩め防止ねじの発明によれば、螺子部の端部に形成する飾り頭部と、この飾り頭部と離間して工具との係合部を有して前記螺子部の締め付け時に工具を係合するねじ回し作用頭部と、このねじ回し作用頭部と前記飾り頭部とを一体化する連結部とを備えており、ねじ締め後、前記連結部を破断または切断して飾り頭部を残して前記ねじ回し作用頭部を除去するように構成し、前記螺子部の先端に螺子部を緩める時に特殊工具を係合するねじ回し係合部を形成したことを特徴とするので、連結部を破断等して工具を係止するねじ回し作用頭部を取り除くことにより、一般のユーザーなどが、ねじを緩めて危険の懸念のある機器などの分解を行うことを防止することが可能なので安全性に優れる。また、ねじを緩めて機器の修理などをする必要性が生じた際には、特殊工具をねじ回し係合部に係合してねじを緩めることが可能なので、実用性にすぐれた緩め防止ねじを提供することができる。
【発明を実施するための最良の形態】
【００２２】
以下、本発明を実施するための最良の形態としての実施例を以下の図１〜１１を参照しながら説明する。もちろん、本発明は、その発明の趣旨に反しない範囲で、実施例において説明した以外の構成のものに対しても容易に適用可能なことは説明を要するまでもない。
【００２３】
図１は、本発明に係る緩め防止ねじの一例である。同図におけるねじ１０は、後述する被締結部材に螺合されるねじ山を形成する螺子部１１と、この螺子部１１の端部に形成する円柱型の飾り頭部１２と、この飾り頭部１２の上部に延設され所定の回転力が加わった際に破断又は切断される平板状の連結部１３と、この連結部１３の上部に形成するねじ回し作用頭部１４とにより一体に形成されている。
【００２４】
本実施例におけるねじ１０の材質は、プラスチック製又は金属製であり、螺子部１１の先端には、被締結部材に締め込まれたねじ部を緩める際に、特殊工具を差し込んで回転するためのねじ回し係合部１６が六角型の凹状に形成されている。
【００２５】
また、ねじ回し作用頭部１４の上面には、汎用性の工具たるドライバー２０を係合させ回転することを可能とする係合部１７を有している。なお、前述した飾り頭部１２とねじ回し作用頭部１４は、連結部１３を介して上下２段に離間して設けられている。
【００２６】
次に、以上のように構成されるねじに係るその作用について説明する。
【００２７】
先ず、図６に示すように、ねじ１０を螺子部１１の先端から被締結部材２１に形成されている開口部２２に挿入し、ドライバー２０をねじ回し作用頭部１４の係合部１７に係合する。この状態でねじ１０を回転させることにより、被締結部材２１の開口部２２に、ねじ１０の螺子部１１の締め込みを行う。この場合、締め込みに伴い最終的に飾り頭部１４の下面は、被締結部材２１の上面に当接してねじは固定される。
【００２８】
そして、ここで更にねじのねじ回し作用頭部１４を回転させ、ドライバー２０による回転力が、連結部１３の強度を上回る所定以上の回転トルクに達すると、連結部１３は破断又は切断される。これにより、飾り頭部１２からねじ回し作用頭部１４を取り除くことができる。
【００２９】
このように、被締結部材２１の開口部２２にねじを締め込んだ状態において、ドライバー２０などの工具によりねじ回し作用頭部１４を破断等し、ねじ回し作用頭部を取り除いた場合、一般のユーザーは、ドライバー２０を使用してねじを緩めることができなくなる。
【００３０】
つまり、ねじ回し頭部１４を破断等することにより、ユーザーによってドライバー２０などの汎用の工具により、ねじ１０を緩めることをできないようにすることができるので、例えば、交流アダプターのケースや、その製品に設けられている活電部などの感電などの危険の懸念のある装置やそれらを覆うカバーの取り付けを、このねじ１０により行われている場合において、一般のユーザーが、ねじ１０を緩めてカバーを取り外し、感電などの危険の懸念のある装置や機器などに触れることを回避し、事故を引き起こさないようにすることが可能なので安全性に優れる。
【００３１】
ところで、締め込まれたねじ１０を機器などの修理のために修理業者などがどうしても取り外す必要が生じた際には、特殊な形状を成す一般のユーザーは持ち合わせていない特殊工具３０を、螺子部１１の先端に形成されている係合部１６に係合させ、ねじ１０を緩めて取り外すことができる。
【００３２】
なお、連結部１３が破断された際に、連結部１３の破片などが飾り頭部１２に残ってしまった際には、適宜必要に応じて破片をきれいに取り除けば良い。
【００３３】
なお、図１に示すように、本実施例の一例においては、ねじ回し係合部１６は、六角形の凹状に形成されているが、六角形に限定するものではなく、三角形、八角形などの多角形や星形などの一般のユーザーによりねじを緩めることのできない特殊な形状であれば良く、種々の変形が可能である。
【００３４】
以上のように、本発明の緩め防止ねじによれば、螺子部１１の端部に形成する飾り頭部１２と、この飾り頭部１２と離間して工具との係合部１７を有して螺子部１１の締め付け時に工具を係合するねじ回し作用頭部１４と、このねじ回し作用頭部１４と飾り頭部１２とを一体化する連結部１３とを備えており、ねじ１０締め後、連結部１３を破断または切断して飾り頭部１２を残してねじ回し作用頭部１４を除去するから、ねじ１０の締め付け後に、一般のユーザーが、通常のドライバー２０などの汎用の工具等でねじを緩めることをできないようにする事により、例えば、機器に取り付けられたねじ１０を緩めて機器の分解などをすることを防止して、ユーザーが、危険の懸念のある機器や装置に触れて事故などを引き起こさないようすることが可能であるので安全性に優れる。さらに、連結部１３に所定以上の回転力が加わった際に、連結部１３は破断または切断され、ドライバー２０を係合するねじ回し作用頭部１４が取り除かれるから、一般のユーザーなどにより、ねじ１０を緩められることを防止することができる。しかも、連結部１３の材質を、容易に破断または切断可能なプラスチック製にした際は、この連結部１３をより一層容易に破断等することができる。さらに、螺子部１１の先端に螺子部１１を緩めたり締め付けたりする時に特殊工具３０を係合するねじ回し係合部１６を形成したので、特殊工具３０を持ち合わせていない一般のユーザーなどにより、締め込んだねじ１０を緩めることを防止することができる。一方、機器の修理などのためにどうしてもねじ１０を取り外す必要性が生じた際に、ねじ回し係合部１６に特殊工具３０を係合させ、締め込まれたねじ１０を緩めて取り外すことができるので、実用性にすぐれた緩め防止ねじを提供することができる。
【００３５】
また、上述した本実施例の一例においては、連結部１３の形状を破断等し易いように平板型に形成しているが、図９などに示すようにその形状を十字形、円柱形、角柱形や多角形に形成しても良く、また、図１０に示すように、複数の連結部１３，１３，１３，１３を設けても良い。この場合も前述した実施例と同様の効果を奏することができる。
【００３６】
また、図１１は別の実施例を示す一例であり、この実施例においては、ねじ１０が上下に２分割されている。すなわち、一方は連結部１３とねじ回し作用頭部１４が一体に形成されており、連結部１３の下方の端部には嵌合凸部１３Aが形成されている。また、飾り頭部１２と螺子部１１が一体に形成されている他方は、飾り頭部１２の上部には嵌合凹部１２Aが形成されている。そして、嵌合凹部１２Aに嵌合凸部１３Aが圧入されることにより、前述したねじ１０と同様にねじ１０が一体的に形成される。この場合、前者の材質をプラスチック製とし、後者の材質を金属製とすることで、材質の異なるものを別々の金型などにより容易に成形することが可能となる。更に、適宜必要に応じて、連結部１３、又は連結部１３及びねじ回し作用頭部１４の材質をプラスチックなどの破断し易い軟質材料にすることで、連結部１３を、より一層容易に切断等することができる。
【図面の簡単な説明】
【００３７】
【図１】本発明のねじを平面側から見た斜視図である。
【図２】同上ねじを底面側から見た斜視図である。
【図３】同上ねじのA−A線断面図である。
【図４】同上ねじのB−B線断面図である。
【図５】同上ねじの底面図である。
【図６】ねじの使用状態を示す正面図である。
【図７】ねじの連結部を破断した状態を示す正面図である。
【図８】ねじを緩めている状態を示す正面図である。
【図９】他の実施例である連結部が十字型に形成されたねじの正面図である。
【図１０】他の実施例である連結部が複数形成されたねじの正面図である。
【図１１】他の実施例である上下に２分割されるねじを一体的に形成した状態のねじの正面図である。
【符号の説明】
【００３８】
１０  ねじ
１１  螺子部
１２  飾り頭部
１３  連結部
１４  ねじ回し作用頭部
１６  ねじ回し係合部
１７  係合部
２０  ドライバー（工具）
３０  特殊工具
【図１】
2005188695.tif 000003
【図２】
2005188695.tif 000004
【図３】
2005188695.tif 000005
【図４】
2005188695.tif 000006
【図５】
2005188695.tif 000007
【図６】
2005188695.tif 000008
【図７】
2005188695.tif 000009
【図８】
2005188695.tif 000010
【図９】
2005188695.tif 000011
【図１０】
2005188695.tif 000012
【図１１】
2005188695.tif 000013